(57)【特許請求の範囲】
【請求項１】
水道管に閉鎖型スプリンクラヘッドを接続し、該閉鎖型スプリンクラヘッドの開放により水を放出するスプリンクラ消火設備において；
前記閉鎖型スプリンクラヘッドと前記水道管との間のスプリンクラヘッドに接続される直前の配管部分を、油火災用消火薬剤が封入された薬剤部とし、
該薬剤部には、前記油火災用消火薬剤と前記水道管内の水を仕切る分離膜が設けられ、前記閉鎖型スプリンクラヘッドが開放すると、前記薬剤部内の前記油火災用消火薬剤が放出された後、前記分離膜が放水時の水圧によって破れ、水が継続的に放水されることを特徴とするスプリンクラ消火設備。
【請求項２】
前記水道管にL字配管を接続し、該L字配管の下端には、前記閉鎖型スプリンクラヘッドより高感度の閉鎖型スプリンクラヘッドを接続し、前記閉鎖型スプリンクラヘッドと、前記高感度の閉鎖型スプリンクラヘッドを近接して配設し、火災発生時に、先ず前記高感度の閉鎖型スプリンクラヘッドから前記水道管の水を放水することを特徴とする請求項１記載のスプリンクラ消火設備。
【発明の詳細な説明】
【０００１】
【発明の属する技術分野】
この発明は、スプリンクラ消火設備に関するものであり、特に、天ぷら油火災等の消火も可能なスプリンクラ消火設備に関するものである。
【０００２】
【従来の技術】
従来、家庭用のスプリンクラ消火設備は、水道管に閉鎖型スプリンクラヘッドを接続し、火災の際該ヘッドから水道水を放出して消火している。
【０００３】
【発明が解決しようとする課題】
一般家庭における火災としては、タバコの不始末によるものの他、天ぷら油による火災がある。
【０００４】
水を消火剤とするスプリンクラ消火設備では、タバコの不始末による火災は消火できても、天ぷら油火災を消火することはできない。
又、油火災用の薬剤を放出する据え置きタイプの消火設備もあるが、これはスプリンクラ消火設備と違って、薬剤の量が一定量に限定されているため、一旦油火災を消火しても、再燃する恐れがある。
【０００５】
また、台所には、換気扇が設けられているので、台所にスプリンクラヘッドを配設しても、換気扇使用時には、熱気流はレンジフードに吸引され、該スプリンクラヘッドに熱気流が当たりにくい、という問題がある。
【０００６】
この発明は、上記事情に鑑み、天ぷら油火災等の火災を確実に効率よく消火できるようにすることを目的とする。
【０００７】
【課題を解決するための手段】
この発明は、水道管に閉鎖型スプリンクラヘッドを接続し、該閉鎖型スプリンクラヘッドの開放により水を放出するスプリンクラ消火設備において；前記閉鎖型スプリンクラヘッドと前記水道管との間のスプリンクラヘッドに接続される直前の配管部分を、油火災用消火薬剤が封入された薬剤部とし、該薬剤部には、前記油火災用消火薬剤と前記水道管内の水を仕切る分離膜が設けられ、前記閉鎖型スプリンクラヘッドが開放すると、前記薬剤部内の前記油火災用消火薬剤が放出された後、前記分離膜が放水時の水圧によって破れ、水が継続的に放水されることを特徴とする。
【０００８】
この発明は、前記水道管にＬ字配管を接続し、該L字配管の下端には、前記閉鎖型スプリンクラヘッドより高感度の閉鎖型スプリンクラヘッドを接続し、前記閉鎖型スプリンクラヘッドと、前記高感度の閉鎖型スプリンクラヘッドを近接して配設し、火災発生時に、先ず前記高感度の閉鎖型スプリンクラヘッドから前記水道管の水を放水することを特徴とする。
【０００９】
【発明の実施の形態】
この発明は、配管とスプリンクラヘッドとの間に、油火災用消火薬剤が封入された薬剤部を設け、天ぷら油火災の際には、油火災用消火薬剤を放出して油火災を消火した後、水を放出して再燃を防止する。
【００１０】
この発明は、配管に設けられ、且つ、火災時に開放する弁（感熱開放弁）を、レンジフードファン内に配設し、該レンジフードファン内に吸引される熱気流により確実に前記弁を作動させるものである。
【００１１】
【実施例】
この発明の第１実施例を図１により説明する。
ガスコンロ１が配設されている台所には、水道管２が配管されており、この水道管（配管）２には、薬剤部３を介して閉鎖型スプリンクラヘッド５が接続されている。
【００１２】
この薬剤部３は、所定の容積を有する球状体で、この中には油火災用消火薬剤６が封入されている。
この薬剤部３の形状は、必要に応じて適宜選択されるが、所定の容積を備えている限り、立方体でも円筒体でも良い。
【００１３】
ここで、所定の容積とは、油火災を消火できる量の油火災用消火薬剤が収容可能な容積をいう。又、油火災用消火薬剤６は、強化液ともいわれるが、例えば、この強化液として、ライトウオータが用いられる。薬剤部３の強化液６と配管２内の水Ｗとは、分離膜８により仕切られている。
【００１４】
ガスコンロ１にかけられている天ぷらなべ１０から火災が発生すると、閉鎖型スプリンクラ５の感熱部が加熱され、該ヘッド５が開く。
【００１５】
そうすると、薬剤部３内の強化液６は、スプリンクラヘッド５から天ぷらなべ１０に向かって放出され、強化液６がなくなると、水Ｗが放出される。
天ぷらなべ１０の火災は、強化液６に覆われて酸素の供給が絶たれ、所謂窒息消火、されるとともに、水Ｗが継続的に供給されて、冷却されるので再燃することはない。
なお、分離膜８は放水時の水圧によって破られるものを利用する。
【００１６】
この発明の第２実施例を図２により説明するが、第１実施例（図１）と同一図面符号はその名称も機能も同一である。
この実施例と第１実施例との相違点は、次の通りである。
(1)薬剤部３の上流側の配管２に、火災時に開放する弁（起動弁）１１を設け、該弁１１の二次側を空配管にしたこと。
(2)薬剤部３に分離膜が設けられていないこと。
【００１７】
この実施例では、火災発生により該ヘッド５が開放されると、薬剤部３の強化液６が該ヘッド５から放出され、更に、図示しない火災感知器が火災を検知すると、火災信号が図示しない制御盤に送出される。そうすると、制御盤は、起動弁１１の制御部に開弁信号を送出し、起動弁１１を開放させるので、前記二次側に水が流入し該ヘッド５から水が噴出する。なお、強化液６だけで完全に消火できれば、制御盤の手動スイッチを操作して起動弁１１を開けなくてもよい。また、水Ｗと強化液６が薬剤部３内で混ざり合うことを防止するために、火災感知器は低感度のものを用いて、ヘッド５より後に動作させることが望ましい。
【００１８】
この発明の第３実施例を図３〜図５により説明するが、第１実施例（図１）と同一図面符号は、その名称も機能も同一である。
水道管２は、薬剤部２３を介して閉鎖型スプリンクラヘッド５に接続されている。
【００１９】
この薬剤部２３は、配管２の直径より大きな径、例えば、２倍の径、の円筒体部２３ａと、配管２より小径のヘッド接続管部２３ｂと、から構成されている。この薬剤部２３には、強化液６が充填されている。
【００２０】
薬剤部２３には、強化液６と水Ｗとを仕切る分離体２８が設けられている。この分離体２８は、図４に示すように、円板状に形成され、その外周面にはＯリング２２が嵌着されている。この分離体２８はスプリング収容室２５に挿着されたスプリング２６により、薬剤部２３側に付勢されている。
【００２１】
次に、この実施例の作動について説明する。
閉鎖型スプリンクラ５の感熱部が加熱され、該ヘッド５が開かれると、薬剤部２３内の強化液６が、スプリンクラヘッド５から放出される。
この時、図５に示すように、配管２内の水Ｗに押圧されている分離体２８が円筒体部２３ａ内に落下し、水Ｗが薬剤部２３に流入し、強化液６を押圧する。そのため、強化液６の放出が終わると、該ヘッド５から水Ｗが放出される。
【００２２】
この発明の第４実施例を図６、図７により説明するが、第１実施例と同一図面符号は、その名称も機能も同一である。
水道管２は、薬剤部３３を介して開放型スプリンクラヘッド３５に接続されている。
【００２３】
この薬剤部３３は、配管２をＵ字状に折り曲げて形成されており、その上流側には、火災時に開放される弁（感熱開放弁）３８が設けられている。この薬剤部３３内には、所定量の強化液６が収容されている。
感熱開放弁３８は、図示しないレンジフードファン内に設置されており、レンジフード内に吸引される熱気流に晒される。
なお、３８ａは、感熱開放弁３８に設けられた感熱部で、スプリンクラヘッドと同様な部材で構成され、火災の熱を受けて図示しない弁体のロックを解除するものである。
【００２４】
次に、この実施例の作動について説明する。
天ぷらなべ１０で火災が発生すると、火災による熱気流は該天ぷらなべ１０の近傍で回転するファンにより、レンジフードファン内に吸引され、感熱開放弁３８に接触する。
そうすると、該感熱開放弁３８が開き、図７に示すように、一次側の水Ｗが薬剤部３３に流入して強化液６を押圧するので、前記ヘッド３５から強化液６が放出し、薬剤部３の強化液６が無くなると水Ｗが放出される。
【００２５】
この実施例では、天ぷらなべ１０の火災により発生する熱気流は、強制的にレンジフードファン内に吸引されるので、確実に感熱開放弁３８に接触する。そのため、確実に火災を検出することができるので、効率の良い消火を行うことができる。
【００２６】
この発明の第５実施例を図８、図９により説明するが、第１実施例（図１）と同一図面符号は、その名称も機能も同一である。
この実施例と第１実施例との相違点は、配管２が薬剤部３の下流側に伸びるＬ字配管４２を備えており、該Ｌ字配管４２の下端には、閉鎖型スプリンクラヘッド５より高感度の閉鎖型スプリンクラヘッド４５が接続されていることである。この両ヘッド５、４５は近接し、かつ、同じ高さに設けられている。
【００２７】
次に、この実施例の作動について説明する。
天ぷら油火災が発生すると、先ず閉鎖型スプリンクラ４５の感熱部が加熱され、該ヘッド４５が開くので、該ヘッド４５から水Ｗが天ぷらなべ１０に向かって放出される。
【００２８】
放水しても消火しない場合には、ヘッド５近傍を流れる熱気流の温度が上昇するので、該ヘッド５が開き、強化液６が放出される。
この強化液６は、油火災用消火薬剤なので、天ぷら油火災は極めて効率よく消火される。
この実施例においては、火災が油火災でなく、木材などによる普通火災であれば、スプリンクラヘッド４５による放水だけで火災を消火できるので、強化液６を無駄に放出することがない。
【００２９】
この発明の第６実施例を図１０〜図１２により説明するが、この実施例と第５実施例（図８、図９）との相違点は、次の通りである。
(1)薬剤部５３に連続するヘッド５５とＬ字配管４２に設けたヘッド５６は、共に開放型スプリンクラヘッドであること。
【００３０】
(2)薬剤部５３の上流側には感熱開放弁３８が設けられており、この弁３８の二次側は水が充填されていない（空配管）こと。
(3)図１１に示すように、薬剤部５３の出口の幕にラプチャ（Rupture)５８を形成し、該幕に水圧がかかると破れて該出口が開き、強化液６がヘッド５５から噴出すること。
【００３１】
この実施例では、感熱開放弁３８が感熱により開放すると、一次側の水が二次側に流れる。そうすると、図１２に示すように、薬剤部５３の強化液６に水圧がかかり、ラプチャ５８が破れて強化液６が該ヘッド５５から放出されると同時に、Ｌ字配管４２を流れる水Ｗが該ヘッド５６から放出される。
薬剤部５３の強化液６が全部放出されると、薬剤部５３に流入した水Ｗが該ヘッド５５から放出されるので、結局、両ヘッド５５，５６は放水状態となる。
なお、分離膜８として、下側の部分は破れやすいが、上側の部分は膜を厚くして破れにくくすると、ヘッド５５からは強化液６だけが放出されて、その後、水Ｗは放出されなくなる。
【００３２】
【発明の効果】
この発明は、閉鎖型スプリンクラヘッドと前記配管との間に、油火災用消火薬剤が封入された薬剤部を設けたので、火災発生時には先ず強化液が放出されて油火災を消火し、ついで水が継続して放出され続ける。そのため、油火災が再燃するのを防止できるので、あらゆるタイプの火災に対応できる。
【００３３】
この発明は、配管に、火災時に開放する弁を設け、開放型スプリンクラヘッドと前記弁との間に、油火災用消火薬剤が封入された薬剤部を設けたので、該弁をレンジフードファンなどの熱気流の通る部分に配置することにより、前述の効果を得ることがでくると共に、確実に火災を検出し素早く消火を開始することができる。
【００３４】
この発明は、閉鎖型スプリンクラヘッドの近傍に前記ヘッドより高感度の閉鎖型スプリンクラヘッドが配設されているので、火災が発生すると、先ず感度の高い閉鎖型スプリンクラヘッドが開放され水が放出される。このため、火災がタバコの不始末などの普通火災の場合には、すぐに消火できるので、熱気流の温度は上昇しない。そのため、他のヘッドは開放されないので、強化液が放出されることはなく、薬剤の無駄使いを防止できる。
また、天ぷらなべ火災等の場合には、他のヘッドも開放されるので、水の放出と同時に、強化液も放出され、効率よく消火される。
【図面の簡単な説明】
【図１】本発明の第１実施例を示す縦断面図である。
【図２】本発明の第２実施例を示す縦断面図である。
【図３】本発明の第３実施例を示す縦断面図である。
【図４】図３の要部拡大図である。
【図５】図３の他の状態を示す図で、放出時の状態を示す縦断面図である。
【図６】本発明の第４実施例を示す縦断面図である。
【図７】本発明の第４実施例を示す縦断面図で、放出状態を示す図である。
【図８】本発明の第５実施例を示す縦断面図である。
【図９】本発明の第５実施例を示す縦断面図で、放出時の状態を示す図である。
【図１０】本発明の第６実施例を示す縦断面図である。
【図１１】図１０の要部拡大図である。
【図１２】図１０の他の状態を示す縦断面図で、放出状態を示す図である。
【符号の説明】
２    配管
３    薬剤部
５    閉鎖型スプリンクラヘッド
６    油火災用消火薬剤（強化液）
【図１】
0004051525.tif 000002
【図２】
0004051525.tif 000003
【図３】
0004051525.tif 000004
【図４】
0004051525.tif 000005
【図５】
0004051525.tif 000006
【図６】
0004051525.tif 000007
【図７】
0004051525.tif 000008
【図８】
0004051525.tif 000009
【図９】
0004051525.tif 000010
【図１０】
0004051525.tif 000011
【図１１】
0004051525.tif 000012
【図１２】
0004051525.tif 000013